(57)【要約】【課題】  耐摺擦性、防水性、および保存性に優れる画像を形成できる画像形成装置を提供する。【解決手段】  画像形成装置１に、感光体ドラム２と、帯電部３と、露光ユニット４と、光反応性トナーを供給する現像部５と、発色用露光部６と、転写部７および記録媒体供給部５００と、定着部６００と、感光体ドラム２、帯電部３、露光ユニット４、現像部５、発色用露光部６、転写部７、記録媒体供給部５００、および定着部６００の動作を制御する制御ユニット部であって、発色するように処理されたトナー像が転写または定着された記録媒体Ｐに、発色しないように処理された光反応性トナーを転写し、該記録媒体Ｐに形成される画像ｃの上に、発色しないように処理された光反応性トナーを定着させることによって、無色透明のトナー層である透明トナーコート層ｔを形成するように制御する制御ユニット部とを設ける。【選択図】      図１
2010277053.tif 000002
【特許請求の範囲】
【請求項１】
表面に感光層を有する感光体と、
前記感光体を帯電させる帯電手段と、
帯電している前記感光体に光を照射することによって、該感光体の表面上に静電潜像を形成する露光手段と、
所定の光が照射され、さらに加熱されることによって所定の色を発色する光反応性トナーを、前記静電潜像に供給することによって、前記感光体の表面上にトナー像を形成する第１現像手段と、
前記トナー像を形成する光反応性トナーに所定の光を照射する発色用露光手段と、
前記トナー像を記録媒体に転写する転写手段と、
前記トナー像が転写された前記記録媒体を加熱することによって、該トナー像を該記録媒体に定着させて、該記録媒体に画像を形成する定着手段と、
前記感光体、前記帯電手段、前記露光手段、前記第１現像手段、前記発色用露光手段、前記転写手段、および前記定着手段の動作を制御する制御手段とを備え、
前記制御手段は、発色するように処理されたトナー像が転写または定着された記録媒体に、発色しないように処理された光反応性トナーを転写し、該記録媒体に形成される画像の上に、発色しないように処理された光反応性トナーを定着させることによって、無色透明のトナー層である透明トナーコート層を形成するように制御することを特徴とする画像形成装置。
【請求項２】
前記制御手段は、前記トナー像を記録媒体に定着するときの前記定着手段の温度である第１定着温度が、前記透明トナーコート層を形成するときの前記定着手段の温度である第２定着温度よりも高くなるように制御することを特徴とする請求項１に記載の画像形成装置。
【請求項３】
前記転写手段は、前記記録媒体の、直前の転写の際に前記感光体に臨んでいた面とは反対側の面が、次の転写の際に、該感光体に臨むように、スイッチバック機構によって、該記録媒体を反転させる記録媒体反転手段を有することを特徴とする請求項１または２に記載の画像形成装置。
【請求項４】
黒色の画像を形成するためのトナーである黒色トナーを前記静電潜像に供給することによって、前記トナー像を形成する第２現像手段を備え、
前記制御手段は、さらに前記第２現像手段の動作を制御し、
前記制御手段は、前記記録媒体に形成しようとする画像が黒色の画像を含む場合には、該黒色の画像を前記黒色トナーによって形成するように制御することを特徴とする請求項１〜３のいずれか１つに記載の画像形成装置。
【請求項５】
前記感光体は、前記第１現像手段によって前記トナー像が形成される第１感光体と、前記第２現像手段によって前記トナー像が形成される第２感光体とからなり、
前記転写手段は、前記光反応性トナーからなるトナー像を前記録媒体に転写した後、前記黒色トナーからなるトナー像を該記録媒体に転写するように構成され、
前記制御手段は、前記記録媒体に転写されたトナー像を該記録媒体に定着させた後、発色しないように処理された光反応性トナーを該記録媒体に転写し、該記録媒体に前記透明トナーコート層を形成するように制御することを特徴とする請求項４に記載の画像形成装置。
【請求項６】
前記感光体は、前記第１現像手段によって前記トナー像が形成される第１感光体と、前記第２現像手段によって前記トナー像が形成される第２感光体とからなり、
前記転写手段は、前記黒色トナーからなるトナー像を該記録媒体に転写した後、前記光反応性トナーからなるトナー像を該記録媒体に転写するように構成され、
前記制御手段は、前記記録媒体に形成しようとする画像が黒色の画像のみからなる場合には、前記記録媒体に前記黒色トナーからなるトナー像を転写した後、該トナー像を該記録媒体に定着させる前に、発色しないように処理された光反応性トナーを該記録媒体に転写し、該記録媒体への該トナー像の定着と前記透明トナーコート層の形成とを一度に行うように制御することを特徴とする請求項４に記載の画像形成装置。
【請求項７】
前記第２感光体を移動させることによって、該第２感光体と前記転写手段とを離接させる第２感光体離接手段を備え、
前記制御手段は、さらに第２感光体離接手段の動作を制御し、
前記制御手段は、前記黒色トナーからなるトナー像を前記記録媒体に転写させるとき以外は、前記第２感光体が前記転写手段から離隔するように制御することを特徴とする請求項５または６に記載の画像形成装置。
【請求項８】
表面に感光層を有する感光体と、
前記感光体を帯電させる帯電手段と、
帯電している前記感光体を露光することによって、該感光体の表面上に静電潜像を形成する露光手段と、
画像を形成するためのトナーである有色トナーを、前記静電潜像に供給することによって、前記感光体の表面上に有色トナー像を形成する有色トナー現像手段と、
無色透明のトナー層である透明トナーコート層を形成するためのトナーである透明トナーを、前記静電潜像に供給することによって、前記感光体の表面上に透明トナー像を形成する透明トナー現像手段と、
前記有色トナー像を記録媒体に転写する有色トナー像転写手段と、
前記透明トナー像を前記記録媒体に転写する透明トナー像転写手段と、
前記有色トナー像が転写された前記記録媒体を加熱することによって、該有色トナー像を該記録媒体に定着させて、該記録媒体に画像を形成する定着手段と、
前記感光体、前記帯電手段、前記露光手段、前記有色トナー現像手段、前記透明トナー現像手段、前記有色トナー像転写手段、前記透明トナー像転写手段、および前記定着手段の動作を制御する制御手段とを備え、
前記制御手段は、前記有色トナー像が転写または定着された記録媒体に、前記透明トナー像を転写し、該記録媒体に形成される画像の上に、該透明トナー像を定着させることによって、無色透明のトナー層である透明トナーコート層を形成するように制御することを特徴とする画像形成装置。
【発明の詳細な説明】
【技術分野】
【０００１】
本発明は、透明トナーコート層を記録媒体に形成する画像形成装置に関する。
【背景技術】
【０００２】
電子写真方式の画像形成装置は、高画質の画像を再現性良く、かつ安価に形成できることから、複写機、プリンタ、ファクシミリ装置などとして汎用される。電子写真方式の画像形成装置は、たとえば、感光体と、帯電手段と、露光手段と、現像手段と、転写手段と、定着装置とからなり、印刷用紙などの記録媒体にトナーを定着させることによって画像を形成する。
【０００３】
電子写真方式の画像形成装置に用いられるトナーの１つとしては、特許文献１、特許文献２、および特許文献３に示されるような、光反応性のトナーが知られている。光反応性トナーは、所定の波長の光が照射されることによって、複数の異なる色を発色することができるトナーである。電子写真方式の画像形成装置に、このような光反応性トナーを用いれば、１種類のトナーによって、フルカラーの画像を形成することができる。
【０００４】
電子写真方式の画像形成装置において、高画質の画像を形成するために、印刷用紙全体の平滑性を向上させる技術がある。特許文献４に記載の画像形成装置は、印刷用紙全体の平滑性を向上させるために、画像部にカラートナー画像を形成するとともに、非画像部に無色透明のトナーを定着させている。
【先行技術文献】
【特許文献】
【０００５】
【特許文献１】特開２００７−２３３１０１号公報
【特許文献２】特開２００８−３２４０号公報
【特許文献３】特開平８−１０６１７２号公報
【特許文献４】特開２００２−３４１６２３号公報
【発明の概要】
【発明が解決しようとする課題】
【０００６】
近年では、電子写真方式の画像形成装置によって形成される画像の高画質化に応じて、印刷用紙などに形成された画像の保存性を向上することが望まれている。しかしながら、トナーの特性の向上を図ることによって画像の保存性を向上させるのは容易ではない。
【０００７】
本発明は、このような課題を解決するためになされたものであって、耐摺擦性、防水性、および保存性に優れる画像を形成できる画像形成装置を提供することを目的とする。
【課題を解決するための手段】
【０００８】
本発明は、表面に感光層を有する感光体と、
前記感光体を帯電させる帯電手段と、
帯電している前記感光体に光を照射することによって、該感光体の表面上に静電潜像を形成する露光手段と、
所定の光が照射され、さらに加熱されることによって所定の色を発色する光反応性トナーを、前記静電潜像に供給することによって、前記感光体の表面上にトナー像を形成する第１現像手段と、
前記トナー像を形成する光反応性トナーに所定の光を照射する発色用露光手段と、
前記トナー像を記録媒体に転写する転写手段と、
前記トナー像が転写された前記記録媒体を加熱することによって、該トナー像を該記録媒体に定着させて、該記録媒体に画像を形成する定着手段と、
前記感光体、前記帯電手段、前記露光手段、前記第１現像手段、前記発色用露光手段、前記転写手段、および前記定着手段の動作を制御する制御手段とを備え、
前記制御手段は、発色するように処理されたトナー像が転写または定着された記録媒体に、発色しないように処理された光反応性トナーを転写し、該記録媒体に形成される画像の上に、発色しないように処理された光反応性トナーを定着させることによって、無色透明のトナー層である透明トナーコート層を形成するように制御することを特徴とする画像形成装置である。
【０００９】
また本発明は、前記制御手段は、前記トナー像を記録媒体に定着するときの前記定着手段の温度である第１定着温度が、前記透明トナーコート層を形成するときの前記定着手段の温度である第２定着温度よりも高くなるように制御することを特徴とする。
【００１０】
また本発明は、前記転写手段は、前記記録媒体の、直前の転写の際に前記感光体に臨んでいた面とは反対側の面が、次の転写の際に、該感光体に臨むように、スイッチバック機構によって、該記録媒体を反転させる記録媒体反転手段を有することを特徴とする。
【００１１】
また本発明は、黒色の画像を形成するためのトナーである黒色トナーを前記静電潜像に供給することによって、前記トナー像を形成する第２現像手段を備え、
前記制御手段は、さらに前記第２現像手段の動作を制御し、
前記制御手段は、前記記録媒体に形成しようとする画像が黒色の画像を含む場合には、該黒色の画像を前記黒色トナーによって形成するように制御することを特徴とする。
【００１２】
また本発明は、前記感光体は、前記第１現像手段によって前記トナー像が形成される第１感光体と、前記第２現像手段によって前記トナー像が形成される第２感光体とからなり、
前記転写手段は、前記光反応性トナーからなるトナー像を前記録媒体に転写した後、前記黒色トナーからなるトナー像を該記録媒体に転写するように構成され、
前記制御手段は、前記記録媒体に転写されたトナー像を該記録媒体に定着させた後、発色しないように処理された光反応性トナーを該記録媒体に転写し、該記録媒体に前記透明トナーコート層を形成するように制御することを特徴とする。
【００１３】
また本発明は、前記感光体は、前記第１現像手段によって前記トナー像が形成される第１感光体と、前記第２現像手段によって前記トナー像が形成される第２感光体とからなり、
前記転写手段は、前記黒色トナーからなるトナー像を該記録媒体に転写した後、前記光反応性トナーからなるトナー像を該記録媒体に転写するように構成され、
前記制御手段は、前記記録媒体に形成しようとする画像が黒色の画像のみからなる場合には、前記記録媒体に前記黒色トナーからなるトナー像を転写した後、該トナー像を該記録媒体に定着させる前に、発色しないように処理された光反応性トナーを該記録媒体に転写し、該記録媒体への該トナー像の定着と前記透明トナーコート層の形成とを一度に行うように制御することを特徴とする。
【００１４】
また本発明は、前記第２感光体を移動させることによって、該第２感光体と前記転写手段とを離接させる第２感光体離接手段を備え、
前記制御手段は、さらに第２感光体離接手段の動作を制御し、
前記制御手段は、前記黒色トナーからなるトナー像を前記記録媒体に転写させるとき以外は、前記第２感光体が前記転写手段から離隔するように制御することを特徴とする。
【００１５】
また本発明は、表面に感光層を有する感光体と、
前記感光体を帯電させる帯電手段と、
帯電している前記感光体を露光することによって、該感光体の表面上に静電潜像を形成する露光手段と、
画像を形成するためのトナーである有色トナーを、前記静電潜像に供給することによって、前記感光体の表面上に有色トナー像を形成する有色トナー現像手段と、
無色透明のトナー層である透明トナーコート層を形成するためのトナーである透明トナーを、前記静電潜像に供給することによって、前記感光体の表面上に透明トナー像を形成する透明トナー現像手段と、
前記有色トナー像を記録媒体に転写する有色トナー像転写手段と、
前記透明トナー像を前記記録媒体に転写する透明トナー像転写手段と、
前記有色トナー像が転写された前記記録媒体を加熱することによって、該有色トナー像を該記録媒体に定着させて、該記録媒体に画像を形成する定着手段と、
前記感光体、前記帯電手段、前記露光手段、前記有色トナー現像手段、前記透明トナー現像手段、前記有色トナー像転写手段、前記透明トナー像転写手段、および前記定着手段の動作を制御する制御手段とを備え、
前記制御手段は、前記有色トナー像が転写または定着された記録媒体に、前記透明トナー像を転写し、該記録媒体に形成される画像の上に、該透明トナー像を定着させることによって、無色透明のトナー層である透明トナーコート層を形成するように制御することを特徴とする画像形成装置である。
【発明の効果】
【００１６】
本発明によれば、１つの現像手段によって、画像の形成と、透明トナーコート層の形成とを行うことができる。画像上に透明トナーコート層が形成されると、該画像の耐摺擦性、防水性、および保存性は向上する。したがって、小型化した画像形成装置によって、耐摺擦性、防水性、および保存性に優れる画像を形成することができる。
【００１７】
また本発明によれば、記録媒体の蓄熱によって高温オフセットが生じてしまうことを防ぐことができる。
【００１８】
また本発明によれば、簡単な構成によって両面印刷することができる。
また本発明によれば、黒色を発色した光反応性トナーによって黒色の画像を形成する場合と比べて、黒色の画像を鮮やかに形成することができる。
【００１９】
また本発明によれば、記録媒体に転写された黒色トナーからなるトナー像と第１感光体とが接触することがないので、黒色トナーの第１現像手段への混入を防ぐことができる。
【００２０】
また本発明によれば、記録媒体に、透明トナーコート層で被覆されたモノクロ画像を、比較的短時間で形成することができる。
【００２１】
また本発明によれば、記録媒体に画像が形成された後、該画像の上に透明トナーコート層が形成されるまでの間に、記録媒体と第２感光体ドラムとが接触することがない。したがって、第２感光体の表面上の黒色トナーが記録媒体と接触することによる、該記録媒体の汚染を防ぐことができる。
【００２２】
また本発明によれば、記録媒体に、透明トナーコート層で被覆された画像を形成することができる。したがって、耐摺擦性、防水性、および保存性に優れる画像を形成することができる。
【図面の簡単な説明】
【００２３】
【図１】画像形成装置１の断面を模式的に示す概略図である。
【図２】透明トナーコート層形成処理を示すフローチャートである。
【図３】透明トナーコート層ｔが形成された記録媒体Ｐを示す図である。
【図４】画像形成装置１ａの断面を概略的に示す模式図である。
【図５】画像形成装置１ｂの断面を概略的に示す模式図である。
【図６】画像形成装置１ｃの断面を概略的に示す模式図である。
【発明を実施するための形態】
【００２４】
以下において、光反応性トナーを供給する現像手段を備え、該現像手段によって画像および透明トナーコート層を形成する画像形成装置を、第１の発明に係る画像形成装置と称する。これに対し、画像を形成するためのトナーを供給する現像手段と、透明トナーコート層を形成するための透明トナーを供給する現像手段とを、それぞれ備える画像形成装置を、第２の発明に係る画像形成装置と称する。
【００２５】
第１の発明に係る画像形成装置は、感光体と、帯電手段と、露光手段と、第１現像手段と、発色用露光手段と、転写手段と、定着手段と、制御手段とを備える。以下に、第１の発明に係る画像形成装置の第１実施形態である画像形成装置１について説明する。
【００２６】
図１は、画像形成装置１の断面を模式的に示す概略図である。画像形成装置１は、複写機能、プリンタ機能、およびファクシミリ機能を併せ持つ複合機である。画像形成装置１は、図示しないスキャナ部などからデジタル信号として入力される画像情報に応じて、記録媒体Ｐにフルカラーまたはモノクロの画像を形成する。画像形成装置１は、トナー像形成部１００と、記録媒体供給部５００と、定着部６００と、図示しない制御ユニット部とを含む。
【００２７】
トナー像形成部１００は、感光体ドラム２と、帯電部３と、露光ユニット４と、現像部５と、発色用露光部６と、転写部７と、ドラムクリーナ１０とを含む。記録媒体供給部５００は、記録媒体貯留部１１と、ピックアップローラ１２と、搬送ローラ１３ａ，１３ｂ，１３ｃ，１３ｄ，１３ｅ，１３ｆ，１３ｇ（各搬送ローラ１３ａ〜１３ｇを区別しないときは、搬送ローラ１３と表す）と、支持ローラ１４ａ，１４ｂと、搬送ベルト１５と、パス切換部１６と、排出ローラ１７と、排紙部１８とを含む。定着部６００は、定着ローラ８と、加圧ローラ９とを含む。
【００２８】
本実施形態において、感光体ドラム２は、前記感光体である。また、帯電部３は、前記帯電手段である。また、露光ユニット４は、前記露光手段である。また、現像部５は、前記第１現像手段である。また、発色用露光部６は、前記発色用露光手段である。また、転写部７および記録媒体供給部５００は、前記転写手段である。また、定着部６００は、前記定着手段である。また、制御ユニット部は、前記制御手段である。
【００２９】
感光体ドラム２は、図示しない駆動手段によって軸線回りに回転駆動可能に支持されるローラ状部材である。感光体ドラム２は、その表面に感光層を有し、この感光層の表面に、静電潜像ひいてはトナー像を担持する像担持体である。
【００３０】
感光体ドラム２には、たとえば、アルミニウムなどからなる導電性基体と、導電性基体表面に形成される感光層とからなるものを使用できる。導電性基体には、円筒状、円柱状、シート状などの導電性基体を使用でき、その中でも円筒状の導電性基体を好ましく使用できる。感光層としては、有機感光層、無機感光層などが挙げられる。
【００３１】
有機感光層としては、電荷発生物質を含む樹脂層である電荷発生層と、電荷輸送物質を含む樹脂層である電荷輸送層との積層体、または、１つの樹脂層中に電荷発生物質と電荷輸送物質とを含む樹脂層などが挙げられる。無機感光層としては、酸化亜鉛、セレン、アモルファスシリコンなどから選ばれる１種または２種以上を含む樹脂層が挙げられる。
【００３２】
導電性基体と感光層との間には、下地層が介在してもよい。また、感光層の表面には感光層を保護するための表面層（保護層）が設けられてもよい。
【００３３】
帯電部３は、コロナ放電によって、感光体ドラム２の表面を所定の極性および電位に帯電させるコロナ放電装置である。帯電部３は、感光体ドラム２に臨み、感光体ドラム２の長手方向に沿って、感光体ドラム２の表面との間に所定の間隙を設けて配置される。帯電部３としては、コロナ放電装置以外にも、帯電ローラ、帯電ブラシ、磁気ブラシなどの接触帯電方式の帯電器を用いてもよい。
【００３４】
露光ユニット４は、帯電状態にある感光体ドラム２の表面に、各色の画像情報に応じてレーザ光を照射することによって、感光体ドラム２の表面上に、画像情報に対応する静電潜像を形成するレーザスキャニングユニットである。露光ユニット４としては、レーザスキャニングユニット以外にも、ＬＥＤ（Light Emitting Diode）アレイ、液晶シャッタと光源とを適宜組み合わせたユニットなどを用いてもよい。
【００３５】
現像部５は、内部空間を有する容器状部材であり、感光体ドラム２に臨んで設けられる。現像部５は、その内部空間に現像剤を貯留する。現像剤は、トナーのみからなる１成分現像剤であっても、トナーと公知のキャリアとからなる２成分現像剤であってもよい。
【００３６】
本実施形態に用いるトナーは、所定の光が照射され、さらに加熱されることによって所定の色を発色する光反応性トナーである。光反応性トナーは、染料前駆体と顕色剤と光硬化性組成物とを含んでおり、該光硬化性組成物が後述する発色用露光部６によって照射される所定の波長の光により硬化することで、後述する定着部６００による定着の際に該染料前駆体と該顕色剤とが反応する。光反応性トナーは、この反応によって、所定の色を発色するトナーである。光反応性トナーは、発色しない場合には無色透明である。第１の発明および第２の発明において、トナーが無色透明であるとは、トナーに入射した可視光の強度に対する、該トナーから出射された可視光の強度の比である、透過率（出射光／入射光）が、８０％以上であることを意味する。光反応性トナーの詳細については後述する。
【００３７】
現像部５は、感光体ドラム２に臨む面に開口部が形成される。現像部５は、現像ローラ５ａを備えており、現像ローラ５ａは、感光体ドラム２に臨む面に形成される開口部からその一部が現像部５の外方に突出して感光体ドラム２の表面に近接するように設けられる。
【００３８】
現像ローラ５ａは、軸線回りに回転可能に支持されるローラ状部材である。現像ローラ５ａは、図示しない固定磁極を内包しており、この固定磁極によって、現像ローラ５ａの表面に現像剤を担持する。現像ローラ５ａは、現像ローラ５ａと感光体ドラム２との近接部（現像ニップ部）において、その表面に担持した現像剤を感光体ドラム２の表面上の静電潜像に供給する。これによって、感光体ドラム２の表面上にトナー像が形成される。
【００３９】
また、現像ローラ５ａは、図示しない電源と接続される。現像ローラ５ａは、この電源から直流電圧（現像電圧）が印加されることによって、感光体ドラム２の表面上の静電潜像に、現像剤を円滑に供給する。
【００４０】
発色用露光部６は、感光体ドラム２の表面上に形成されたトナー像、または後述する転写部７によって記録媒体Ｐ上に転写されたトナー像を形成する光反応性トナーに所定の光を照射するレーザスキャニングユニットである。発色用露光部６は、画像情報に基づいて所定の波長の光を光反応性トナーに照射することによって、該光反応性トナーに含まれる特定の光硬化性組成物を硬化させる。本実施形態においては、発色用露光部６は、波長が４０５ｎｍの光λ１、波長が５３２ｎｍの光λ２、および波長が６５７ｎｍの光λ３の３種類の光を照射できるように構成される。
【００４１】
本実施形態においては、発色用露光部６は、感光体ドラム２の表面上のトナー像に光を照射できるように、感光体ドラム２に臨んで設けられる。他の実施形態として、発色用露光部６は、後述する定着部６００によってトナー像の定着が行われる前に記録媒体Ｐ上のトナー像に光を照射できるような位置に設けられてもよい。
【００４２】
発色用露光部６としては、レーザスキャニングユニット以外にも、ＬＥＤアレイ、液晶シャッタと光源とを適宜組み合わせたユニットなどを用いてもよい。
【００４３】
転写部７は、図示しない駆動手段によって軸線回りに回転駆動可能に設けられるローラ状部材である。転写部７は、感光体ドラム２に対向するように設けられる。転写部７は、感光体ドラム２とともに後述する記録媒体供給部５００から送給される記録媒体Ｐを挟むことによって、感光体ドラム２と転写部７とに挟まれる領域（転写領域）において、感光体ドラム２の表面上のトナー像を記録媒体Ｐに転写する。トナー像が転写された記録媒体Ｐは、転写部７によって、定着部６００に送給される。
【００４４】
転写部７には、たとえば、金属製軸体と、該金属製軸体の表面を被覆する導電性層とを含むローラ状部材が用いられる。金属製軸体は、たとえば、ステンレス鋼などの金属によって形成される。導電性層は、導電性の弾性体などによって形成される。導電性の弾性体としてはこの分野で常用されるものを使用でき、たとえば、カーボンブラックなどの導電剤を含む、エチレン・プロピレン・ジエンゴム（ＥＰＤＭ）、発泡ＥＰＤＭ、発泡ウレタンなどが挙げられる。
【００４５】
転写部７は、図示しない高圧電源と接続される。転写部７には、高圧電源から、感光体ドラム２の表面上に形成されるトナー像の帯電極性とは逆極性の高電圧が印加される。これによって、感光体ドラム２の表面上に形成されるトナー像は、記録媒体Ｐに円滑に転写される。
【００４６】
ドラムクリーナ１０は、感光体ドラム２の表面上のトナー像が記録媒体Ｐに転写された後に、感光体ドラム２の表面上に残存するトナーを除去し、回収する部材である。ドラムクリーナ１０は、たとえば、感光体ドラム２の表面に圧接することによって残存トナーを掻き取るクリーニングブレードと、該クリーニングブレードによって掻き取られた残存トナーを貯留する回収容器とからなる。
【００４７】
記録媒体貯留部１１は、記録媒体Ｐを貯留するトレイ状部材である。記録媒体Ｐには、たとえば、普通紙、コート紙、カラーコピー専用用紙、ＯＨＰ用フィルム、葉書などがある。記録媒体Ｐのサイズには、Ａ４、Ａ３、Ｂ５、Ｂ４、葉書サイズなどがある。
【００４８】
ピックアップローラ１２は、記録媒体Ｐを搬送ローラ１３ａに１枚ずつ送給するローラ状部材である。ピックアップローラ１２は、感光体ドラム２の表面上のトナー像が転写領域に搬送される時期と、記録媒体Ｐが該転写領域に搬送される時期とが同期するように、記録媒体Ｐを送給する。
【００４９】
搬送ローラ１３ａ〜１３ｇは、互いに圧接するように設けられる一対のローラ状部材である。搬送ローラ１３ａは、ピックアップローラ１２から送給された記録媒体Ｐを、搬送ローラ１３ｂに送給する。搬送ローラ１３ｂは、搬送ローラ１３ａから送給された記録媒体Ｐを、転写領域に送給する。搬送ローラ１３ｂによって、記録媒体Ｐは、矢符Ｂで示す搬送方向へ搬送される。搬送ローラ１３ｃは、後述する定着部６００から送給された記録媒体Ｐを、パス切換部１６に送給する。
【００５０】
パス切換部１６は、記録媒体Ｐの搬送路を切り換える部材である。すなわち、パス切換部１６の一部が図１に示す実線の位置にあるとき、搬送ローラ１３ｃから送給された記録媒体Ｐは、搬送ローラ１３ｄへ送給される。また、パス切換部１６の一部が、図１に示す２点鎖線Ｘの位置にあるとき、搬送ローラ１３ｃから送給された記録媒体Ｐは、排出ローラ１７へ送給される。
【００５１】
搬送ローラ１３ｄは、搬送ローラ１３ｃから送給された記録媒体Ｐを、搬送ローラ１３ｅに送給する。搬送ローラ１３ｅは、搬送ローラ１３ｄから送給された記録媒体Ｐを、搬送ベルト１５に送給する。
【００５２】
搬送ベルト１５は、支持ローラ１４ａ，１４ｂの間に張架される無端ベルト状部材である。搬送ベルト１５には、たとえば、ポリカーボネイト樹脂にカーボンブラックを混練した厚み２００μｍの半導電性ベルトを使用できる。搬送ベルト１５は、記録媒体Ｐを担持しながら回転移動することによって、搬送ローラ１３ｅから送給された記録媒体Ｐを、搬送ローラ１３ｆに送給する。
【００５３】
支持ローラ１４ａ，１４ｂは、図示しない駆動手段によって軸線回りに回転駆動可能に設けられるローラ状部材である。支持ローラ１４ａ，１４ｂには、たとえば、アルミニウム製円筒体（パイプ状ローラ）が用いられる。
【００５４】
搬送ローラ１３ｆは、搬送ベルト１５から送給された記録媒体Ｐを、搬送ローラ１３ｇに送給する。搬送ローラ１３ｇは、搬送ローラ１３ｆから送給された記録媒体Ｐを、搬送ローラ１３ｂに送給する。このように、搬送ローラ１３ｂ〜１３ｇによって、ループ状の搬送路が形成される。
【００５５】
排出ローラ１７は、互いに圧接するように設けられる一対のローラ状部材である。排出ローラ１７は、図示しない駆動手段によって軸線回りに回転駆動可能に設けられる。排出ローラ１７は、搬送ローラ１３ｃから送給された記録媒体Ｐを、排紙部１８に排出する。
【００５６】
また、排出ローラ１７は、記録媒体Ｐを排紙部１８に排出するための回転方向とは反対方向に回転駆動することができる。排出ローラ１７は、後述する制御ユニット部からの命令によって、記録媒体Ｐの後端をキャッチし、該反対方向に回転駆動することで、記録媒体Ｐをパス切換部１６に送給する。このとき、パス切換部１６の一部は、図１に示す実線の位置にある。したがって、記録媒体Ｐは、搬送ローラ１３ｄに送給される。このように、パス切換部１６と排出ローラ１７とは、スイッチバック機構を構成する。
【００５７】
上述したように、搬送ローラ１３ｂ〜１３ｇは、ループ状の搬送路を形成する。したがって、記録媒体供給部５００は、該ループ状の搬送路とスイッチバック機構とによって、記録媒体Ｐの、直前の転写の際に感光体ドラム２に臨んでいた面とは反対側の面が、次の転写の際に、該感光体ドラム２に臨むように、該記録媒体Ｐを反転させることができる。すなわち、記録媒体供給部５００は、記録媒体反転手段を有する。これによって、画像形成装置１は、記録媒体Ｐの両面に画像を形成すること（両面印刷）ができる。
【００５８】
排紙部１８は、定着部６００によってトナー像が定着された記録媒体Ｐを貯留するトレイ状部材である。
【００５９】
定着部６００は、定着ローラ８と、加圧ローラ９と、図示しない温度検知手段を含む。定着ローラ８は、図示しない駆動手段によって軸線回りに回転駆動可能に支持されるローラ状部材である。定着ローラ８の内部には、ハロゲンランプなどの加熱手段が設けられる。定着ローラ８は、記録媒体Ｐ、および該記録媒体Ｐに担持される未定着のトナー像を構成するトナーを加熱することによって、該トナーを溶融させることで、該トナー像を記録媒体Ｐに定着させる。これによって、記録媒体Ｐに、画像情報に基づく画像が形成される。
【００６０】
定着ローラ８としては、たとえば、芯金と、弾性体層と、表面層とからなるローラ状部材を使用できる。芯金を形成する金属には熱伝導率の高い金属を使用でき、たとえば、アルミニウム、鉄などが挙げられる。芯金の形状としては、円筒状、円柱状などが挙げられるけれども、芯金からの放熱量が少ない円筒状の方が好ましい。
【００６１】
弾性体層を構成する材料としては、ゴム弾性を有するものであれば特に制限はないけれども、耐熱性に優れるものが好ましい。このような材料の具体例としては、たとえば、シリコーンゴム、フッ素ゴム、フルオロシリコーンゴムなどが挙げられる。これらの中でも、特にゴム弾性に優れるシリコーンゴムが好ましい。
【００６２】
表面層を構成する材料としては、耐熱性および耐久性に優れ、トナーの吸着性が低いものであれば特に制限されない。たとえば、ＰＦＡ（テトラフルオロエチレンとペルフルオロアルキルビニルエーテルとの共重合体）、ＰＴＦＥ（ポリテトラフルオロエチレン）などのフッ素系樹脂材料、フッ素ゴムなどが挙げられる。
【００６３】
加圧ローラ９は、定着ローラ８の鉛直方向下方において、定着ローラ８に圧接された状態で回転自在に設けられるローラ状部材である。加圧ローラ９は、定着ローラ８の回転駆動に従動して回転する。定着ローラ８と加圧ローラ９との圧接部を定着ニップ部と称する。加圧ローラ９は、該定着ニップ部において、溶融状態にあるトナーを記録媒体Ｐに対して押圧することによって、トナー像の記録媒体Ｐへの定着を促進する部材である。
【００６４】
加圧ローラ９としては、たとえば、芯金と、弾性体層と、表面層とからなるローラ状部材が使用できる。芯金、弾性体層および表面層としては、それぞれ、定着ローラ８の芯金、弾性体層および表面層と同じものを使用できる。また、加圧ローラ９の内部には、定着ローラ８と同様に、加熱手段が設けられてもよい。
【００６５】
図示しない温度検知手段は、定着ローラ８の表面付近に設けられる。温度検知手段は、定着ローラ８の表面温度を検知し、検知した結果を後述する制御ユニット部へ送信する。温度検知手段は、複数設けられてもよく、たとえば、加圧ローラ９の表面付近に設けられてもよい。
【００６６】
画像形成装置１は、図示しない制御ユニット部を含む。制御ユニット部は、たとえば、画像形成装置１の内部空間における鉛直方向上部に設けられ、記憶部と演算部と制御部とを含む。制御ユニット部の記憶部には、画像形成装置１の鉛直方向上面に配置される図示しない操作パネルを介する各種設定値、画像形成装置１内部の各所に配置される図示しないセンサなどからの検知結果、外部機器からの画像情報などが入力される。また、各種処理を実行するプログラムが書き込まれる。各種処理とは、たとえば、記録媒体判定処理、付着量制御処理、定着温度制御処理などである。
【００６７】
記憶部には、この分野で常用されるものを使用でき、たとえば、リードオンリィメモリ（ＲＯＭ）、ランダムアクセスメモリ（ＲＡＭ）、ハードディスクドライブ（ＨＤＤ）などが挙げられる。外部機器には、画像情報の形成または取得が可能であり、かつ画像形成装置１に電気的に接続可能な電気・電子機器を使用でき、たとえば、コンピュータ、デジタルカメラ、テレビジョン受像機器、ビデオレコーダ、ＤＶＤ（Digital Versatile Disc
）レコーダ、ＨＤＤＶＤ（High-Definition Digital Versatile Disc）レコーダ、ブルーレイディスクレコーダ、ファクシミリ装置、携帯端末装置などが挙げられる。
【００６８】
演算部は、記憶部に書き込まれる各種データ（画像形成命令、検知結果、画像情報など）および各種処理用のプログラムを取り出し、各種判定を行う。制御部は、演算部の判定結果に応じて該当装置に制御信号を送信し、動作制御を行う。
【００６９】
制御部および演算部は中央処理装置（ＣＰＵ、Central Processing Unit）を備えるマイクロコンピュータ、マイクロプロセッサなどによって実現される処理回路を含む。制御ユニット部は、前述の処理回路とともに主電源を含み、電源は制御ユニット部だけでなく、画像形成装置１内部における各部材にも電力を供給する。
【００７０】
次に、光反応性トナーについて説明する。上述したように、光反応性トナーは、染料前駆体と顕色剤と光硬化性組成物とを含む。染料前駆体、顕色剤、および光硬化性組成物は、イエローを発色するための、イエロー用染料前駆体、イエロー用顕色剤、およびイエロー用光硬化性組成物と、マゼンタを発色するための、マゼンタ用染料前駆体、マゼンタ用顕色剤、およびマゼンタ用光硬化性組成物と、シアンを発色するための、シアン用染料前駆体、シアン用顕色剤、およびシアン用光硬化性組成物とからなる。
【００７１】
イエロー用光硬化性組成物、マゼンタ用光硬化性組成物、およびシアン用光硬化性組成物は、それぞれ異なる波長の光によって硬化するように構成される。ここで、イエロー用光硬化性組成物を硬化させる光をイエロー用光と、マゼンタ用光硬化性組成物を硬化させる光をマゼンタ用光と、およびシアン用光硬化性組成物を硬化させる光をシアン用光と称する。
【００７２】
光反応性トナーは、イエロー用光、マゼンタ用光、およびシアン用光のいずれかが照射されることによって、各光に対応する光硬化性組成物が硬化する。これによって、光反応性トナーは、加熱定着時に、イエロー、マゼンタ、およびシアン、またはこれらの混色を、発色する。光反応性トナーは、発色のメカニズムによって、光発色トナーと光非発色トナーとに分類される。
【００７３】
光発色トナーは、光硬化性組成物が硬化することによって、加熱定着時に、該光硬化性組成物に対応する色を発色するように構成される光反応性トナーである。光反応性トナーは、たとえば、光硬化性組成物が硬化する前の状態では、該光硬化性組成物に顕色剤がトラップされるように構成される。顕色剤がトラップされている状態では、加熱定着を行っても、染料前駆体と顕色剤とは接近することができず、これらは反応しない。したがって、光発色トナーは、イエロー用光、マゼンタ用光、およびシアン用光のいずれも照射されなければ、加熱定着時に発色することがなく、無色透明のまま記録媒体Ｐに定着される。
【００７４】
光発色トナーは、光硬化性組成物が硬化することによって、トラップされていた顕色剤が、加熱定着時に、染料前駆体と接近できるようになる。これによって、光発色トナーは、加熱定着時に、各光硬化性組成物を硬化させる各光に対応する色を発色する。たとえば、光発色トナーは、シアン用光が照射されると、加熱定着時にシアンを発色する。また、たとえば、光発色トナーは、シアン用光およびマゼンタ用光が照射されると、加熱定着時にブルー（シアンとマゼンタとの混色）を発色する。
【００７５】
光非発色トナーは、光硬化性組成物が硬化することによって、加熱定着時に、該光硬化性組成物に対応する色以外の色を発色するように構成される光反応性トナーである。光非発色トナーは、たとえば、光硬化性組成物が顕色剤を含むように構成される。これによって、光非発色トナーは、光硬化性組成物および顕色剤が硬化する前の状態では、加熱定着によって該顕色剤に対応する色を発色し、顕色剤が硬化した状態では、加熱定着時に、該顕色剤が染料前駆体と反応しなくなり、該顕色剤に対応する色を発色しなくなる。
【００７６】
たとえば、光非発色トナーは、シアン用光が照射されると、加熱定着時にレッド（マゼンタとイエローとの混色）を発色する。また、たとえば、光非発色トナーは、シアン用光およびマゼンタ用光が照射されると、加熱定着時にイエローを発色する。また、たとえば、光非発色トナーは、イエロー用光、マゼンタ用光、およびシアン用光のいずれも照射されると、加熱定着時に発色することがなく、無色透明のまま記録媒体Ｐに定着される。
本実施形態では、光反応性トナーとして、融点が８８℃、体積平均粒径が５μｍ〜２０μｍの光非発色トナーが用いられる。本実施形態に用いられる光非発色トナーは、ポリエステル樹脂などの熱可塑性の結着樹脂に、イエローを発色するイエロー用発色部と、マゼンタを発色するマゼンタ用発色部と、シアンを発色するシアン発色部とを分散させたものである。
【００７７】
イエロー用発色部は、公知の樹脂によって形成されるカプセル中に、イエロー用染料前駆体を閉じ込めたマイクロカプセルと、イエロー用顕色剤を含むイエロー用光硬化性組成物とを分散させたものである。マゼンタ用発色部は、公知の樹脂によって形成されるカプセル中に、マゼンタ用染料前駆体を閉じ込めたマイクロカプセルと、マゼンタ用顕色剤を含むマゼンタ用光硬化性組成物とを分散させたものである。シアン用発色部は、公知の樹脂によって形成されるカプセル中に、シアン用染料前駆体を閉じ込めたマイクロカプセルと、シアン用顕色剤を含むシアン用光硬化性組成物とを分散させたものである。
【００７８】
イエロー用染料前駆体としては、以下に示す電子供与性無色染料（１）が用いられる。マゼンタ用染料前駆体としては、以下に示す電子供与性無色染料（２）が用いられる。シアン用染料前駆体としては、以下に示す電子供与性無色染料（３）が用いられる。
【００７９】
【化１】
2010277053.tif 000003
【００８０】
イエロー用顕色剤としては、以下に示す、重合性電子受容性化合物（４）および重合性電子受容性化合物（５）が用いられる。マゼンタ用顕色剤としては、以下に示す重合性電子受容性化合物（６）が用いられる。シアン用顕色剤としては、以下に示す重合性電子受容性化合物（６）が用いられる。
【００８１】
【化２】
2010277053.tif 000004
【００８２】
イエロー用光硬化性組成物としては、重合性電子受容性化合物（４），（５）と、以下に示す、熱重合禁止剤（ＡＬＩ）（７）、界面活性剤（８）、ヘキサアリールビイミダゾール（９）、ノニオン性有機色素（１０）、および有機ホウ素化合物（１１）とを混合したものが用いられる。
【００８３】
【化３】
2010277053.tif 000005
【００８４】
マゼンタ用光硬化性組成物としては、重合性電子受容性化合物（６）と、以下に示す、有機ボレート化合物（１２）、分光増感色素系ボレート化合物（１３）、助剤（１４）、界面活性剤（１５）、および界面活性剤（１６）とを混合したものが用いられる。
【００８５】
【化４】
2010277053.tif 000006
【００８６】
シアン用光硬化性組成物としては、上記マゼンタ用光硬化性組成物において、分光増感色素系ボレート化合物（１３）に代えて、以下に示す分光増感色素系ボレート化合物（１７）を使用したものが用いられる。
【００８７】
【化５】
2010277053.tif 000007
【００８８】
上記光非発色トナーに対する、イエロー用光は、発色用露光部６から照射される光λ１であり、マゼンタ用光は、発色用露光部６から照射される光λ２であり、シアン用光は、発色用露光部６から照射される光λ３である。
【００８９】
本実施形態、および後述する他の実施形態では、光反応性トナーとして上記光非発色トナーを用いるけれども、これに代えて、光発色トナーを用いてもよい。
【００９０】
次に、第１の発明に係る画像形成装置１が行う処理について説明する。制御ユニット部は、画像形成装置１を構成する各部材を制御することによって、後述する透明トナーコート層を、記録媒体Ｐに形成される画像の上に形成させる処理を行う。この処理を透明トナーコート層形成処理と称する。
【００９１】
以下では、図２を用いて、透明トナーコート層形成処理を詳細に説明する。図２は、透明トナーコート層形成処理を示すフローチャートである。はじめに、制御ユニット部は、デジタル信号として画像情報が入力されると、該画像情報に基づく静電潜像を、感光体ドラム２の表面上に形成させ、処理をステップＳ２へ進める（ステップＳ１）。より詳細には、帯電部３によって帯電させられた感光体ドラム２に、露光ユニット４からのレーザ光が照射されることによって、静電潜像が形成される。
【００９２】
制御ユニット部は、感光体ドラム２の表面上にトナー像を形成させ、処理をステップＳ３へ進める（ステップＳ２）。より詳細には、ステップＳ１において形成された静電潜像に、現像部５から光反応性トナーが供給されることによって、トナー像が形成される。
【００９３】
制御ユニット部は、感光体ドラム２の表面上のトナー像に、所定の波長の光を照射させ、処理をステップＳ４へ進める（ステップＳ３）。より詳細には、感光体ドラム２の表面上のトナー像には、発色用露光部６によって、光λ１、光λ２、および光λ３のいずれかが照射される。これによって、該トナー像を構成する光非発色トナーに含まれる光硬化性組成物のうち、照射された光に対応する光硬化性組成物が硬化する。すなわち、ステップＳ３では、感光体ドラム２の表面上のトナー像は、発色するように処理される。なお、光非発色トナーが黒色を発色するようにする処理とは、光λ１、光λ２、および光λ３の、いずれの光も照射しない処理である。
【００９４】
制御ユニット部は、感光体ドラム２の表面上のトナー像を、記録媒体Ｐに転写させ、処理をステップＳ５へ進める（ステップＳ４）。より詳細には、記録媒体Ｐが、転写領域において、感光体ドラム２と転写部７とによって挟まれることで、トナー像が記録媒体Ｐに転写される。
【００９５】
制御ユニット部は、記録媒体Ｐに担持されるトナー像を、該記録媒体Ｐに定着させ、処理をステップＳ６へ進める（ステップＳ５）。より詳細には、記録媒体Ｐに担持される光非発色トナーは、定着部６００によって加熱され溶融することで、該記録媒体Ｐに定着される。このとき、該光非発色トナーに含まれる、硬化していない光硬化性組成物中の顕色剤と、これに対応する染料前駆体とが反応する。これによって、記録媒体Ｐに、画像情報に基づく画像が形成される。
【００９６】
制御ユニット部は、画像情報に基づき、透明トナーコート層用の静電潜像（コート層用静電潜像）を、感光体ドラム２の表面上に形成させ、処理をステップＳ７へ進める（ステップＳ６）。コート層用静電潜像とは、ステップＳ１において形成された静電潜像と同一、または、それを含む静電潜像である。静電潜像の形成方法は、ステップＳ１と同様である。
【００９７】
制御ユニット部は、感光体ドラム２の表面上に、透明トナーコート層用のトナー像（コート層用トナー像）を形成させ、処理をステップＳ８へ進める（ステップＳ７）。コート層用トナー像とは、コート層用静電潜像に光反応性トナーを供給することによって形成されるトナー像である。トナーの供給方法は、ステップＳ１と同様である。
【００９８】
制御ユニット部は、感光体ドラム２の表面上のコート層用トナー像に、所定の波長の光を、全種類照射させ、処理をステップＳ９へ進める（ステップＳ８）。より詳細には、感光体ドラム２の表面上のコート層用トナー像には、発色用露光部６によって、光λ１、光λ２、および光λ３の、すべての種類の光が照射される。これは、該コート層用トナー像を構成する光非発色トナーに含まれる光硬化性組成物をすべて硬化させることによって、後の定着の際に、該光非発色トナーを発色させないようにするためである。すなわち、ステップＳ８では、感光体ドラム２の表面上のコート層用トナー像は、発色しないように処理される。なお、光非発色トナーの代わりに光発色トナーを用いる場合、コート層用トナー像が発色しないようにする処理とは、光λ１、光λ２、および光λ３の、いずれの光も照射しない処理である。
【００９９】
制御ユニット部は、感光体ドラム２の表面上のコート層用トナー像を、トナー像が定着済みの記録媒体Ｐに転写させ、処理をステップＳ１０へ進める（ステップＳ９）。より詳細には、制御ユニット部は、ステップＳ５において記録媒体Ｐに形成された画像すべてを覆うように、コート層用トナー像を、記録媒体Ｐに転写させる。コート層用トナー像の転写方法は、ステップＳ４と同様である。
【０１００】
制御ユニット部は、トナー像が定着済みの記録媒体Ｐに、透明トナーコート層を形成させる（ステップＳ１０）。透明トナーコート層とは、定着部６００によって記録媒体Ｐに定着された、コート層用トナー像である。コート層用トナー像の定着方法は、ステップＳ５と同様である。コート層用トナー像は、ステップＳ８において、発色しないように処理されているので、透明トナーコート層は無色透明である。透明トナーコート層が形成された記録媒体Ｐは、排出ローラ１７によって、排紙部１８に排出される。
【０１０１】
このように、制御ユニット部は、発色するように処理されたトナー像が定着された記録媒体Ｐに、発色しないように処理された光反応性トナー（コート層用トナー像）を転写し、該記録媒体Ｐに形成される画像の上に、発色しないように処理された光反応性トナー（コート層用トナー像）を定着させることによって、無色透明のトナー層である透明トナーコート層を形成するように、感光体ドラム２、帯電部３、露光ユニット４、現像部５、発色用露光部６、転写部７、記録媒体供給部５００、および定着部６００を制御している。
【０１０２】
図３は、透明トナーコート層ｔが形成された記録媒体Ｐを示す図である。図３では、記録媒体Ｐに形成された画像ｃを斜線部で示している。図３に示すように、透明トナーコート層ｔは、画像ｃを覆うように形成されている。したがって、画像ｃは、耐摺擦性、防水性、および保存性に優れる。
【０１０３】
ここで、耐摺擦性に優れるとは、記録媒体Ｐに定着されたトナーを擦っても、記録媒体Ｐから画像ｃが剥がれにくいということを意味する。画像ｃを構成するトナーの大部分は、透明トナーコート層ｔを構成するトナーによって被覆されているので、直接擦られることがない。したがって、画像ｃは記録媒体Ｐから剥がれにくい。
【０１０４】
また、防水性に優れるとは、記録媒体Ｐが水などによって濡れても、画像ｃの色が落ちにくいこと、および、記録媒体Ｐが濡れることによって記録媒体Ｐにしわが発生しても、画像ｃが剥がれにくいことを意味する。画像ｃが防水性に優れるのは、耐摺擦性に優れるのと同じ作用による。
【０１０５】
また、保存性に優れるとは、画像形成後、長期間経過しても、画像ｃが退色、変色しにくいこと、および、画像ｃを他の物体と長期間接触させていても、画像ｃの色が他の物体に移りにくいことを意味する。画像ｃが保存性に優れるのは、耐摺擦性に優れるのと同じ作用による他、画像ｃを構成するトナーが、光および外気に触れにくくなって変性しにくくなるという作用による。
【０１０６】
このように、画像形成装置１によれば、１つの現像部５によって、画像ｃの形成と、透明トナーコート層ｔの形成とを行うことができる。したがって、小型化した画像形成装置１によって、耐摺擦性、防水性、および保存性に優れる画像ｃを形成できる。
【０１０７】
透明トナーコート層ｔは、記録媒体Ｐの面方向において、画像ｃと完全に一致する範囲、形で、画像ｃ上にのみ形成されてもよいけれども、図３に示すように、画像ｃを含み、画像ｃより広い形で、画像ｃ上および記録媒体Ｐ上に形成される方が好ましい。画像ｃには厚みがあるため、透明トナーコート層ｔが画像ｃと完全に一致する範囲であっても、画像ｃを構成するトナーの一部が露出してしまうからである。また、透明トナーコート層ｔが画像ｃと完全に一致する範囲となるようにコート層用静電潜像を形成する場合、コート層用トナー像の転写において転写位置に誤差が生じると、画像ｃを構成するトナーの一部が露出してしまうからである。
【０１０８】
したがって、透明トナーコート層ｔは、記録媒体Ｐの面方向において、画像ｃよりも１ドット以上、より好ましくは３ドット以上１０ドット以下広く形成される。透明トナーコート層ｔは、記録媒体Ｐの、画像ｃが形成される面全体に形成されてもよい。これによって、画像ｃを構成するトナーの一部が露出してしまうことをより抑えることができる。透明トナーコート層ｔを画像ｃよりも広く形成する場合、制御ユニット部は、画像ｃに対応する画像情報における画像の輪郭を１ドット以上広げることによって新たな画像情報を作成し、この新たな画像情報に基づいて、コート層用静電潜像を形成させる。
【０１０９】
本実施形態では、画像を形成するためのトナー像の定着と、透明トナーコート層を形成するためのコート層用トナー像の定着とを、それぞれ行っている。すなわち、画像形成装置１は、２回の定着を行うように構成される装置であるけれども、未定着のトナー像の上にコート層用トナー像を転写することによって、１回の定着で、画像および透明トナーコート層を形成するように構成されてもよい。ただし、透明トナーコート層を構成するトナーが画像中に浸透しないように、２回の定着を行う方が好ましい。透明トナーコート層を構成するトナーが画像中に浸透すると、その分、透明トナーコート層が薄くなるからである。なお、透明トナーコート層を構成するトナーが画像中に浸透した場合であっても、画像を構成するトナーは、浸透したトナーによるアンカー効果によって記録媒体Ｐと強固に定着するので、画像の耐摺擦性は維持される。
【０１１０】
本実施形態のように２回の定着を行う構成の画像形成装置である場合、制御ユニット部は、トナー像を記録媒体Ｐに定着するときの定着部６００の温度である第１定着温度Ｔ１が、透明トナーコート層を形成するときの定着部６００の温度である第２定着温度Ｔ２よりも高くなるように、定着部６００を制御することが好ましい。
【０１１１】
このような制御は、定着部６００に設けられる温度検知手段によって検知される温度に基づいて行われる。たとえば、第１定着温度Ｔ１は、１５０℃〜２２０℃に制御され、第２定着温度Ｔ２は、１３０℃〜１７０℃に制御される。
【０１１２】
定着部６００がこのように制御されることによって、記録媒体Ｐが、１回目の定着による蓄熱により温度が上昇した状態で、定着部６００に到達した場合であっても、２回目の定着における第２定着温度Ｔ２は第１定着温度Ｔ１よりも低いので、高温オフセットが生じてしまうことがない。また、透明トナーコート層が、画像を形成するときの第１定着温度Ｔ１より低い第２定着温度Ｔ２で形成されるので、透明トナーコート層を構成するトナーの、画像中への浸透を抑えることができる。
【０１１３】
また、上述したように、画像形成装置１は、スイッチバック機構によって記録媒体Ｐを反転させる記録媒体反転手段を有する。これによって、簡単な構成によって両面印刷ができるだけではなく、片面のみの印刷の場合に、記録媒体Ｐの、画像が形成される面とは反対側の面にも、透明トナーコート層を形成することができる。
【０１１４】
片面にのみ画像を形成し、両面に透明トナーコート層を形成する場合は、たとえば、両面に形成される各透明トナーコート層が、記録媒体Ｐを挟んで対向するように、透明トナーコート層を形成する。このように、両面に透明トナーコート層を形成することによって、記録媒体Ｐに形成された画像の、耐摺擦性、防水性、および保存性をさらに向上させることができる。
【０１１５】
次に、第１の発明に係る画像形成装置の第２実施形態である画像形成装置１ａについて説明する。画像形成装置１ａは、第１感光体、第２感光体、第１現像手段、第２現像手段、第２感光体離接手段を含むトナー像形成部２００と、記録媒体供給部５００と、定着部６００と、制御ユニット部とを含む。画像形成装置１ａは、トナー像形成部１００の代わりにトナー像形成部２００を備えること以外は、画像形成装置１と同一の構成である。したがって、記録媒体供給部５００、定着部６００、および制御ユニット部についての説明は省略する。
【０１１６】
図４は、画像形成装置１ａの断面を概略的に示す模式図である。図４では、画像形成装置１ａの要部であるトナー像形成部２００のみを示し、他の部材を省略している。トナー像形成部２００は、感光体ドラム２，２ｂと、帯電部３，３ｂと、露光ユニット４ａと、現像部５，５ｂと、発色用露光部６と、転写部７，７ｂと、ドラムクリーナ１０，１０ｂと、第２感光体離接部１９と、支持ローラ２０ａ，２０ｂと、搬送ベルト２１とを含む。
【０１１７】
本実施形態において、感光体ドラム２は、前記第１感光体である。また、感光体ドラム２ｂは、前記第２感光体である。また、第２感光体離接部１９は、前記第２感光体離接手段である。また、帯電部３，３ｂは、前記帯電手段である。また、露光ユニット４ｂは、前記露光手段である。また、現像部５は、前記第１現像手段である。また、現像部５ｂは、前記第２現像手段である。また、発色用露光部６は、前記発色用露光手段である。また、転写部７，７ｂ、支持ローラ２０ａ，２０ｂ、搬送ベルト２１、および記録媒体供給部５００は、前記転写手段である。また、定着部６００は、前記定着手段である。また、制御ユニット部は、前記制御手段である。
【０１１８】
感光体ドラム２、帯電部３、現像部５、発色用露光部６、転写部７、およびドラムクリーナ１０は、画像形成装置１に用いられる各部材と同一の構成であるので、説明を省略する。ただし、後述する感光体ドラム２ｂと転写部７ｂとの間の第２転写領域と区別するために、本実施形態では、感光体ドラム２と転写部７との間の転写領域を、第１転写領域と称する。
【０１１９】
感光体ドラム２ｂは、矢符Ｂで示す搬送方向において、感光体ドラム２よりも下流側に設けられるローラ状部材である。感光体ドラム２ｂは、後述する第２感光体離接部１９に支持される。感光体ドラム２ｂとしては、感光体ドラム２と同様の部材を用いることができる。
【０１２０】
帯電部３ｂは、感光体ドラム２ｂに臨み、感光体ドラム２ｂの長手方向に沿って、感光体ドラム２ｂの表面との間に所定の間隙を設けて配置される。帯電部３ｂとしては、帯電部３と同様の部材を用いることができる。
【０１２１】
露光ユニット４ａは、帯電状態にある感光体ドラム２，２ｂのそれぞれの表面に、レーザ光を照射するレーザスキャニングユニットである。露光ユニット４ａは、感光体ドラム２の表面に、黒色以外の各色の画像情報に応じてレーザ光を照射することによって、感光体ドラム２の表面上に、黒色以外の各色の画像情報に対応する静電潜像を形成する。また、露光ユニット４ａは、感光体ドラム２ｂの表面に、黒色の画像情報に応じてレーザ光を照射することによって、感光体ドラム２ｂの表面上に、黒色の画像情報に対応する静電潜像を形成する。露光ユニット４ａとしては、露光ユニット４と同様の部材を用いることができる。
【０１２２】
現像部５ｂは、感光体ドラム２ｂに臨んで設けられる容器状部材である。現像部５ｂは、その内部空間に黒色現像剤を貯留する。黒色現像剤は、黒色の画像を形成するためのトナーである黒色トナーのみからなる１成分現像剤、または黒色トナーと公知のキャリアとからなる２成分現像剤である。黒色トナーは、たとえば、結着樹脂としてのポリエステル樹脂と、着色剤としてのカーボンブラックと、帯電制御剤としてのアルキルサリチル酸金属塩とからなる。
【０１２３】
現像部５ｂは、感光体ドラム２ｂに臨む面に開口部が形成される。現像部５ｂは、現像ローラ５ａｂを備えており、現像ローラ５ａｂは、感光体ドラム２ｂに臨む面に形成される開口部からその一部が現像部５ｂの外方に突出して感光体ドラム２ｂの表面に近接するように設けられる。現像ローラ５ａｂとしては、現像ローラ５ａと同様の部材を用いることができる。現像部５ｂによれば、現像ローラ５ａｂの表面に担持された黒色現像剤が、感光体ドラム２ｂの表面上の静電潜像に供給される。これによって、感光体ドラム２ｂの表面上に黒色トナーからなるトナー像（黒色トナー像）が形成される。
【０１２４】
転写部７ｂは、感光体ドラム２ｂに対向するように設けられるローラ状部材である。転写部７ｂは、感光体ドラム２ｂとともに後述する搬送ベルト２１から送給される記録媒体Ｐを挟むことによって、感光体ドラム２ｂと転写部７ｂとに挟まれる領域（第２転写領域）において、感光体ドラム２ｂの表面上の黒色トナー像を記録媒体Ｐに転写する。黒色トナー像が転写された記録媒体Ｐは、転写部７ｂによって、定着部６００に送給される。転写部７ｂとしては、転写部７と同様の部材を用いることができる。
【０１２５】
ドラムクリーナ１０ｂは、感光体ドラム２ｂの表面上の黒色トナー像が記録媒体Ｐに転写された後に、感光体ドラム２ｂの表面上に残存する黒色トナーを除去し、回収する部材である。ドラムクリーナ１０ｂとしては、ドラムクリーナ１０と同様の部材を用いることができる。
【０１２６】
搬送ベルト２１は、支持ローラ２０ａ，２０ｂの間に張架される無端ベルト状部材である。搬送ベルト２１には、たとえば、厚み２００μｍの半導電性ポリカーボネイト製ベルトを使用できる。搬送ベルト２１は、記録媒体Ｐを担持しながら回転移動することによって、第１転写領域から送給された記録媒体Ｐを、第２転写領域に送給する。このように、転写部７，７ｂおよび搬送ベルト２１は、記録媒体Ｐを感光体ドラム２に搬送することによって光反応性トナーからなるトナー像（光反応性トナー像）を該記録媒体Ｐに転写した後、該記録媒体Ｐを感光体ドラム２ｂに搬送することによって黒色トナー像を該記録媒体Ｐに転写するように構成される。
【０１２７】
支持ローラ２０ａ，２０ｂは、図示しない駆動手段によって軸線回りに回転駆動可能に設けられるローラ状部材である。支持ローラ２０ａ，２０ｂには、たとえば、アルミニウム製円筒体（パイプ状ローラ）が用いられる。
【０１２８】
第２感光体離接部１９は、感光体ドラム２ｂを支持し、感光体ドラム２ｂを、図４に示す２点鎖線Ｙの位置まで移動させる部材である。２点鎖線Ｙの位置とは、感光体ドラム２ｂが転写部７ｂから充分に離隔する位置であって、第２転写領域に記録媒体Ｐが送給されても、感光体ドラム２ｂの表面上の黒色トナーが該記録媒体Ｐに転写されない位置である。すなわち、第２感光体離接部１９は、感光体ドラム２ｂと転写部７ｂとを離接させることができる。
【０１２９】
以上のように構成される画像形成装置１ａでは、制御ユニット部は、記録媒体Ｐに形成しようとする画像が黒色の画像を含むフルカラー画像である場合には、該黒色の画像を黒色トナーによって形成するように、各部材を制御する。すなわち、制御ユニット部は、光反応性トナーが黒色を発色しないように制御し、かつ、黒色の画像が黒色トナーによって形成されるように制御することで、記録媒体Ｐに所望のフルカラー画像を形成させる。
【０１３０】
この場合、記録媒体Ｐには、最初に発色するように処理された光反応性トナー像が転写され、次に黒色トナー像が転写される。発色するように処理された光反応性トナー像および黒色トナー像が転写された記録媒体Ｐは、定着部６００に送給され、該記録媒体Ｐに両トナー像が定着される。これによって、記録媒体Ｐに画像が形成される。その後は、第１実施形態と同様に、記録媒体Ｐに形成された画像上に透明トナーコート層が形成されて、該記録媒体Ｐは排紙部１８に排出される。画像上に透明トナーコート層が形成されることによって、該画像の耐摺擦性、防水性、および保存性が向上する作用は、第１実施形態と同様である。
【０１３１】
形成しようとする画像に黒色の画像が含まれない場合、第１実施形態と同様に、記録媒体Ｐには発色するように処理された光反応性トナー像のみが転写される。発色するように処理された光反応性トナー像が転写された記録媒体Ｐは、定着部６００に送給され、該記録媒体Ｐに該光反応性トナー像が定着される。これによって、記録媒体Ｐに画像が形成される。その後も、第１実施形態と同様に、記録媒体Ｐに形成された画像上に透明トナーコート層が形成されて、該記録媒体Ｐは排紙部１８に排出される。
【０１３２】
形成しようとする画像が黒色の画像のみからなる場合、すなわち、モノクロ画像を形成しようとする場合、記録媒体Ｐには黒色トナー像のみが転写される。黒色トナー像が転写された記録媒体Ｐは、定着部６００に送給され、該記録媒体Ｐに黒色トナー像が定着される。これによって、記録媒体Ｐに画像が形成される。その後は、第１実施形態と同様に、記録媒体Ｐに形成された画像上に透明トナーコート層が形成されて、該記録媒体Ｐは排紙部１８に排出される。
【０１３３】
このように、画像形成装置１ａは、黒色の画像を形成するために、光反応性トナーとは別に、黒色トナーを有する。これによって、黒色を発色した光反応性トナーによって黒色の画像を形成する場合と比べて、黒色の画像を鮮やかに形成することができる。
【０１３４】
また、上述したように、本実施形態では、光反応性トナー像が記録媒体Ｐに転写された後に、黒色トナー像が記録媒体Ｐに転写され、その後に両トナー像が定着される。すなわち、感光体ドラム２ｂは、搬送方向において、感光体ドラム２よりも下流側に設けられる。したがって、黒色の画像を含む画像を形成しようとする場合であっても、感光体ドラム２が、記録媒体Ｐに担持される未定着の黒色トナー像と接触することがない。これによって、黒色トナーの現像部５への混入を防ぐことができる。
【０１３５】
画像形成装置１ａがこのように構成されるのは、現像部５に貯留される光反応性トナーが、フルカラー画像の形成だけではなく、透明トナーコート層の形成にも用いられるためである。すなわち、透明トナーコート層に黒色トナーが混入しない方が好ましいからである。
【０１３６】
また、上述したように、感光体ドラム２ｂは、第２感光体離接部１９によって転写部７ｂから離隔することができるように設けられている。本実施形態では、制御ユニット部は、黒色トナー像を記録媒体Ｐに転写するとき以外は、感光体ドラム２ｂと転写部７ｂとが離隔するように、第２感光体離接部１９を制御する。したがって、記録媒体Ｐに画像が形成された後、該画像の上に透明トナーコート層が形成されるまでの間に、記録媒体Ｐと感光体ドラム２ｂとが接触することがない。これによって、ドラムクリーナ１０ｂによって回収されずに感光体ドラム２ｂの表面上に残存した黒色トナーが記録媒体Ｐと接触することによる、記録媒体Ｐの汚染を防ぐことができる。
【０１３７】
次に、第１の発明に係る画像形成装置の第３実施形態である画像形成装置１ｂについて説明する。画像形成装置１ｂは、第１感光体、第２感光体、第１現像手段、第２現像手段、第１感光体離接手段、第２感光体離接手段を含むトナー像形成部３００と、記録媒体供給部５００と、定着部６００と、制御ユニット部とを含む。画像形成装置１ｂは、トナー像形成部１００の代わりにトナー像形成部３００を備えること以外は、画像形成装置１と同一の構成である。したがって、記録媒体供給部５００、定着部６００、および制御ユニット部についての説明は省略する。
【０１３８】
図５は、画像形成装置１ｂの断面を概略的に示す模式図である。図５では、画像形成装置１ｂの要部であるトナー像形成部３００のみを示し、他の部材を省略している。トナー像形成部３００は、感光体ドラム２，２ｂと、帯電部３，３ｂと、露光ユニット４ａと、現像部５，５ｂと、発色用露光部６と、転写部７，７ｂと、ドラムクリーナ１０，１０ｂと、第１感光体離接部１９ａと、第２感光体離接部１９と、支持ローラ２０ａ，２０ｂと、搬送ベルト２１とを含む。
【０１３９】
本実施形態において、感光体ドラム２は、前記第１感光体である。また、第１感光体離接部１９ａは、前記第１感光体離接手段である。また、感光体ドラム２ｂは、前記第２感光体である。また、第２感光体離接部１９は、前記第２感光体離接手段である。また、帯電部３，３ｂは、前記帯電手段である。また、露光ユニット４ｂは、前記露光手段である。また、現像部５は、前記第１現像手段である。また、現像部５ｂは、前記第２現像手段である。また、発色用露光部６は、前記発色用露光手段である。また、転写部７，７ｂ、支持ローラ２０ａ，２０ｂ、搬送ベルト２１、および記録媒体供給部５００は、前記転写手段である。また、定着部６００は、前記定着手段である。また、制御ユニット部は、前記制御手段である。
【０１４０】
画像形成装置１ｂは、トナー像形成部３００における各部材の配置が、トナー像形成部２００における各部材の配置と異なること、および第１感光体離接部１９ａを備えること以外は、第２実施形態である画像形成装置１ａと同一であるので、第１感光体離接部１９ａ以外の各部材の詳細な説明は省略する。
【０１４１】
トナー像形成部３００における各部材は、記録媒体Ｐを感光体ドラム２ｂに搬送することによって黒色トナー像を該記録媒体Ｐに転写した後、該記録媒体Ｐを感光体ドラム２に搬送することによって光反応性トナー像を該記録媒体Ｐに転写するように配置される。すなわち、感光体ドラム２は、矢符Ｂで示す搬送方向において、感光体ドラム２ｂよりも下流側に設けられる。
【０１４２】
第１感光体離接部１９ａは、感光体ドラム２を支持し、感光体ドラム２を、図５に示す２点鎖線Ｚの位置まで移動させる部材である。２点鎖線Ｚの位置とは、感光体ドラム２が転写部７から充分に離隔する位置であって、第１転写領域に記録媒体Ｐが送給されても、感光体ドラム２の表面上の光反応性トナーが該記録媒体Ｐに転写されない位置である。すなわち、第１感光体離接部１９ａは、感光体ドラム２と転写部７とを離接させることができる。
【０１４３】
以上のように構成される画像形成装置１ｂでは、第２実施形態である画像形成装置１ａと同様に、制御ユニット部は、記録媒体Ｐに形成しようとする画像が黒色の画像を含むフルカラー画像である場合には、該黒色の画像を黒色トナーによって形成するように、各部材を制御する。すなわち、制御ユニット部は、光反応性トナーが黒色を発色しないように制御し、かつ、黒色の画像が黒色トナーによって形成されるように制御することで、記録媒体Ｐに所望のフルカラー画像を形成させる。
【０１４４】
この場合、記録媒体Ｐには、最初に黒色トナー像が転写され、次に発色するように処理された光反応性トナー像が転写される。発色するように処理された光反応性トナー像および黒色トナー像が転写された記録媒体Ｐは、定着部６００に送給され、該記録媒体Ｐに両トナー像が定着される。これによって、記録媒体Ｐに画像が形成される。その後は、第１、第２実施形態と同様に、記録媒体Ｐに形成された画像上に透明トナーコート層が形成されて、該記録媒体Ｐは排紙部１８に排出される。画像上に透明トナーコート層が形成されることによって、該画像の耐摺擦性、防水性、および保存性が向上する作用は、第１、第２実施形態と同様である。
【０１４５】
形成しようとする画像に黒色の画像が含まれない場合、第１、第２実施形態と同様に、記録媒体Ｐには発色するように処理された光反応性トナー像のみが転写される。発色するように処理された光反応性トナー像が転写された記録媒体Ｐは、定着部６００に送給され、該記録媒体Ｐに該光反応性トナー像が定着される。これによって、記録媒体Ｐに画像が形成される。その後も、第１、第２実施形態と同様に、記録媒体Ｐに形成された画像上に透明トナーコート層が形成されて、該記録媒体Ｐは排紙部１８に排出される。
【０１４６】
形成しようとする画像が黒色の画像のみからなる場合、すなわち、モノクロ画像を形成しようとする場合、記録媒体Ｐに黒色トナー像が転写された後、該黒色トナー像が該記録媒体Ｐに定着される前に、コート層用トナー像が該記録媒体Ｐに転写される。その後、記録媒体Ｐは、定着部６００に送給され、一度の定着によって、黒色トナー像による画像の形成と透明トナーコート層の形成とが行われる。画像および透明トナーコート層が形成された記録媒体Ｐは排紙部１８に排出される。
【０１４７】
このように、本実施形態では、制御ユニット部は、記録媒体Ｐへの黒色トナー像の定着と透明トナーコート層の形成とを一度に行うように、各部材を制御する。これによって、記録媒体Ｐに、透明トナーコート層で被覆されたモノクロ画像を、比較的短時間で形成することができる。
【０１４８】
モノクロ画像を形成しようとする場合、制御ユニット部は、記録媒体Ｐへの黒色トナー像の定着後に、該記録媒体Ｐにコート層用トナー像が転写され、透明トナーコート層が形成されるように、各部材を制御してもよい。このとき、制御ユニット部は、コート層用トナー像を記録媒体Ｐに転写するとき以外は、感光体ドラム２と転写部７とが離隔するように、第１感光体離接部１９ａを制御する。これによって、感光体ドラム２が、記録媒体Ｐに担持される未定着の黒色トナー像と接触することがなくなる。したがって、黒色トナーの現像部５への混入を防ぐことができる。
【０１４９】
また、上述したように、感光体ドラム２ｂは、第２感光体離接部１９によって転写部７ｂから離隔することができるように設けられている。本実施形態では、制御ユニット部は、黒色トナー像を記録媒体Ｐに転写するとき以外は、感光体ドラム２ｂと転写部７ｂとが離隔するように、第２感光体離接部１９を制御する。したがって、記録媒体Ｐに画像が形成された後、該画像の上に透明トナーコート層が形成されるまでの間に、記録媒体Ｐと感光体ドラム２ｂとが接触することがない。これによって、ドラムクリーナ１０ｂによって回収されずに感光体ドラム２ｂの表面上に残存した黒色トナーが記録媒体Ｐと接触することによる、記録媒体Ｐの汚染を防ぐことができる。
【０１５０】
次に、第２の発明に係る画像形成装置について説明する。第２の発明に係る画像形成装置は、感光体と、帯電手段と、露光手段と、有色トナー現像手段と、透明トナー現像手段と、有色トナー像転写手段と、透明トナー像転写手段と、定着手段と、制御手段とを備える。以下に、第２の発明に係る画像形成装置の実施形態である画像形成装置１ｃについて説明する。画像形成装置１ｃは、トナー像形成部１００の代わりにトナー像形成部４００を備えること以外は、画像形成装置１と同一の構成である。したがって、記録媒体供給部５００、定着部６００、および制御ユニット部についての説明は省略する。
【０１５１】
図６は、画像形成装置１ｃの断面を概略的に示す模式図である。図６では、画像形成装置１ｃの要部であるトナー像形成部４００のみを示し、他の部材を省略している。トナー像形成部４００は、感光体ドラム２，２ｙ，２ｍ，２ｃ，２ｋと、帯電部３，３ｙ，３ｍ，３ｃ，３ｋと、露光ユニット４ｂと、現像部５，５ｙ，５ｍ，５ｃ，５ｋと、転写部７，７ｙ，７ｍ，７ｃ，７ｋと、ドラムクリーナ１０，１０ｙ，１０ｍ，１０ｃ，１０ｋと、支持ローラ２２ａ，２２ｂ，２４ａ，２４ｂ，２６ａ，２６ｂ，２８ａ，２８ｂと、搬送ベルト２３，２５，２７，２９とを含む。
【０１５２】
本実施形態において、感光体ドラム２，２ｙ，２ｍ，２ｃ，２ｋは、前記感光体である。また、帯電部３，３ｙ，３ｍ，３ｃ，３ｋは、前記帯電手段である。また、露光ユニット４ｂは、前記露光手段である。また、現像部５は、前記透明トナー現像手段である。また、現像部５ｙ，５ｍ，５ｃ，５ｋは、前記有色トナー現像手段である。また、転写部７，７ｙ，７ｍ，７ｃ，７ｋ、支持ローラ２２ａ，２２ｂ，２４ａ，２４ｂ，２６ａ，２６ｂ，２８ａ，２８ｂ、搬送ベルト２３，２５，２７，２９、および記録媒体供給部５００は、前記有色トナー像転写手段であって、前記透明トナー像転写手段である。また、定着部６００は、前記定着手段である。また、制御ユニット部は、前記制御手段である。
【０１５３】
感光体ドラム２、帯電部３、現像部５、転写部７、およびドラムクリーナ１０は、画像形成装置１に用いられる各部材と同一の構成であるので、説明を省略する。ただし、現像部５に貯留されるトナーは、光反応性トナーではなく、無色透明のトナー層である透明トナーコート層を形成するためだけに用いられるトナー（透明トナー）である。透明トナーは、たとえば、結着樹脂としてのポリエステル樹脂と、帯電制御剤としてのアルキルサリチル酸金属塩とからなる。
【０１５４】
また、本実施形態では、感光体ドラム２と転写部７との間の転写領域を、第１転写領域と称する。転写部７は、感光体ドラム２とともに後述する搬送ベルト２９から送給される記録媒体Ｐを挟むことによって、第１転写領域において、感光体ドラム２の表面上の、透明トナーからなるトナー像（透明トナー像）を記録媒体Ｐに転写する。透明トナー像が転写された記録媒体Ｐは、転写部７によって、定着部６００に送給される。
【０１５５】
感光体ドラム２ｙ、２ｍ，２ｃ，２ｋは、矢符Ｂで示す搬送方向において、感光体ドラム２よりも上流側に設けられるローラ状部材である。感光体ドラム２ｙ、２ｍ，２ｃ，２ｋは、搬送方向上流側から、この順序で設けられる。感光体ドラム２ｙ、２ｍ，２ｃ，２ｋとしては、感光体ドラム２と同様の部材を用いることができる。
【０１５６】
帯電部３ｙは、感光体ドラム２ｙに臨み、感光体ドラム２ｙの長手方向に沿って、感光体ドラム２ｙの表面との間に所定の間隙を設けて配置される。帯電部３ｍは、感光体ドラム２ｍに臨み、感光体ドラム２ｍの長手方向に沿って、感光体ドラム２ｍの表面との間に所定の間隙を設けて配置される。帯電部３ｃは、感光体ドラム２ｃに臨み、感光体ドラム２ｃの長手方向に沿って、感光体ドラム２ｃの表面との間に所定の間隙を設けて配置される。帯電部３ｋは、感光体ドラム２ｋに臨み、感光体ドラム２ｋの長手方向に沿って、感光体ドラム２ｋの表面との間に所定の間隙を設けて配置される。帯電部３ｙ，３ｍ，３ｃ，３ｋとしては、帯電部３と同様の部材を用いることができる。
【０１５７】
露光ユニット４ｂは、帯電状態にある感光体ドラム２，２ｙ，２ｍ，２ｃ，２ｋのそれぞれの表面に、レーザ光を照射するレーザスキャニングユニットである。露光ユニット４ｂは、感光体ドラム２の表面に、各色の画像情報に応じてレーザ光を照射することによって、感光体ドラム２の表面上に、各色の画像情報に対応する静電潜像を形成する。また、露光ユニット４ｂは、感光体ドラム２ｙの表面に、イエローの画像情報に応じてレーザ光を照射することによって、感光体ドラム２ｙの表面上に、イエローの画像情報に対応する静電潜像を形成する。また、露光ユニット４ｂは、感光体ドラム２ｍの表面に、マゼンタの画像情報に応じてレーザ光を照射することによって、感光体ドラム２ｍの表面上に、マゼンタの画像情報に対応する静電潜像を形成する。
【０１５８】
また、露光ユニット４ｂは、感光体ドラム２ｃの表面に、シアンの画像情報に応じてレーザ光を照射することによって、感光体ドラム２ｃの表面上に、シアンの画像情報に対応する静電潜像を形成する。また、露光ユニット４ｂは、感光体ドラム２ｋの表面に、黒色の画像情報に応じてレーザ光を照射することによって、感光体ドラム２ｋの表面上に、黒色の画像情報に対応する静電潜像を形成する。露光ユニット４ｂとしては、露光ユニット４と同様の部材を用いることができる。
【０１５９】
現像部５ｙは、感光体ドラム２ｙに臨んで設けられる容器状部材である。現像部５ｙは、その内部空間にイエロー現像剤を貯留する。イエロー現像剤は、イエローの画像を形成するための有色トナーであるイエロートナーのみからなる１成分現像剤、またはイエロートナーと公知のキャリアとからなる２成分現像剤である。イエロートナーは、たとえば、結着樹脂としてのポリエステル樹脂と、着色剤としてのＣ．Ｉ．ピグメントイエロー７４と、帯電制御剤としてのアルキルサリチル酸金属塩とからなる。
【０１６０】
現像部５ｙは、感光体ドラム２ｙに臨む面に開口部が形成される。現像部５ｙは、現像ローラ５ａｙを備えており、現像ローラ５ａｙは、感光体ドラム２ｙに臨む面に形成される開口部からその一部が現像部５ｙの外方に突出して感光体ドラム２ｙの表面に近接するように設けられる。現像ローラ５ａｙとしては、現像ローラ５ａと同様の部材を用いることができる。現像部５ｙによれば、現像ローラ５ａｙの表面に担持されたイエロー現像剤が、感光体ドラム２ｙの表面上の静電潜像に供給される。これによって、感光体ドラム２ｙの表面上にイエロートナーからなるトナー像（イエロートナー像）が形成される。
【０１６１】
現像部５ｍは、感光体ドラム２ｍに臨んで設けられる容器状部材である。現像部５ｍは、その内部空間にマゼンタ現像剤を貯留する。マゼンタ現像剤は、マゼンタの画像を形成するための有色トナーであるマゼンタトナーのみからなる１成分現像剤、またはマゼンタトナーと公知のキャリアとからなる２成分現像剤である。マゼンタトナーは、たとえば、結着樹脂としてのポリエステル樹脂と、着色剤としてのＣ．Ｉ．ピグメントレッド１２２と、帯電制御剤としてのアルキルサリチル酸金属塩とからなる。
【０１６２】
現像部５ｍは、感光体ドラム２ｍに臨む面に開口部が形成される。現像部５ｍは、現像ローラ５ａｍを備えており、現像ローラ５ａｍは、感光体ドラム２ｍに臨む面に形成される開口部からその一部が現像部５ｍの外方に突出して感光体ドラム２ｍの表面に近接するように設けられる。現像ローラ５ａｍとしては、現像ローラ５ａと同様の部材を用いることができる。現像部５ｍによれば、現像ローラ５ａｍの表面に担持されたマゼンタ現像剤が、感光体ドラム２ｍの表面上の静電潜像に供給される。これによって、感光体ドラム２ｍの表面上にマゼンタトナーからなるトナー像（マゼンタトナー像）が形成される。
【０１６３】
現像部５ｃは、感光体ドラム２ｃに臨んで設けられる容器状部材である。現像部５ｃは、その内部空間にシアン現像剤を貯留する。シアン現像剤は、シアンの画像を形成するための有色トナーであるシアントナーのみからなる１成分現像剤、またはシアントナーと公知のキャリアとからなる２成分現像剤である。シアントナーは、たとえば、結着樹脂としてのポリエステル樹脂と、着色剤としてのＣ．Ｉ．ピグメントブルー１５：３と、帯電制御剤としてのアルキルサリチル酸金属塩とからなる。
【０１６４】
現像部５ｃは、感光体ドラム２ｃに臨む面に開口部が形成される。現像部５ｃは、現像ローラ５ａｃを備えており、現像ローラ５ａｃは、感光体ドラム２ｃに臨む面に形成される開口部からその一部が現像部５ｃの外方に突出して感光体ドラム２ｃの表面に近接するように設けられる。現像ローラ５ａｃとしては、現像ローラ５ａと同様の部材を用いることができる。現像部５ｃによれば、現像ローラ５ａｃの表面に担持されたシアン現像剤が、感光体ドラム２ｃの表面上の静電潜像に供給される。これによって、感光体ドラム２ｃの表面上にシアントナーからなるトナー像（シアントナー像）が形成される。
【０１６５】
現像部５ｋは、感光体ドラム２ｋに臨んで設けられる容器状部材である。現像部５ｋは、その内部空間に黒色現像剤を貯留する。黒色現像剤は、黒色の画像を形成するための有色トナーである黒色トナーのみからなる１成分現像剤、または黒色トナーと公知のキャリアとからなる２成分現像剤である。黒色トナーは、たとえば、結着樹脂としてのポリエステル樹脂と、着色剤としてのカーボンブラックと、帯電制御剤としてのアルキルサリチル酸金属塩とからなる。
【０１６６】
現像部５ｋは、感光体ドラム２ｋに臨む面に開口部が形成される。現像部５ｋは、現像ローラ５ａｋを備えており、現像ローラ５ａｋは、感光体ドラム２ｋに臨む面に形成される開口部からその一部が現像部５ｋの外方に突出して感光体ドラム２ｋの表面に近接するように設けられる。現像ローラ５ａｋとしては、現像ローラ５ａと同様の部材を用いることができる。現像部５ｋによれば、現像ローラ５ａｋの表面に担持された黒色現像剤が、感光体ドラム２ｋの表面上の静電潜像に供給される。これによって、感光体ドラム２ｋの表面上に黒色トナーからなるトナー像（黒色トナー像）が形成される。
【０１６７】
転写部７ｙは、感光体ドラム２ｙに対向するように設けられるローラ状部材である。転写部７ｙは、感光体ドラム２ｙとともに後述する搬送ローラ１３ｂから送給される記録媒体Ｐを挟むことによって、感光体ドラム２ｙと転写部７ｙとに挟まれる領域（第５転写領域）において、感光体ドラム２ｙの表面上のイエロートナー像を記録媒体Ｐに転写する。イエロートナー像が転写された記録媒体Ｐは、転写部７ｙによって、後述する搬送ベルト２３に送給される。転写部７ｙとしては、転写部７と同様の部材を用いることができる。
【０１６８】
転写部７ｍは、感光体ドラム２ｍに対向するように設けられるローラ状部材である。転写部７ｍは、感光体ドラム２ｍとともに後述する搬送ベルト２３から送給される記録媒体Ｐを挟むことによって、感光体ドラム２ｍと転写部７ｍとに挟まれる領域（第４転写領域）において、感光体ドラム２ｍの表面上のマゼンタトナー像を記録媒体Ｐに転写する。マゼンタトナー像が転写された記録媒体Ｐは、転写部７ｍによって、後述する搬送ベルト２５に送給される。転写部７ｍとしては、転写部７と同様の部材を用いることができる。
【０１６９】
転写部７ｃは、感光体ドラム２ｃに対向するように設けられるローラ状部材である。転写部７ｃは、感光体ドラム２ｃとともに後述する搬送ベルト２５から送給される記録媒体Ｐを挟むことによって、感光体ドラム２ｃと転写部７ｃとに挟まれる領域（第３転写領域）において、感光体ドラム２ｃの表面上のシアントナー像を記録媒体Ｐに転写する。シアントナー像が転写された記録媒体Ｐは、転写部７ｃによって、後述する搬送ベルト２７に送給される。転写部７ｃとしては、転写部７と同様の部材を用いることができる。
【０１７０】
転写部７ｋは、感光体ドラム２ｋに対向するように設けられるローラ状部材である。転写部７ｋは、感光体ドラム２ｋとともに後述する搬送ベルト２７から送給される記録媒体Ｐを挟むことによって、感光体ドラム２ｋと転写部７ｋとに挟まれる領域（第２転写領域）において、感光体ドラム２ｋの表面上の黒色トナー像を記録媒体Ｐに転写する。黒色トナー像が転写された記録媒体Ｐは、転写部７ｋによって、後述する搬送ベルト２９に送給される。転写部７ｋとしては、転写部７と同様の部材を用いることができる。
【０１７１】
ドラムクリーナ１０ｙは、感光体ドラム２ｙの表面上のイエロートナー像が記録媒体Ｐに転写された後に、感光体ドラム２ｙの表面上に残存するイエロートナーを除去し、回収する部材である。ドラムクリーナ１０ｍは、感光体ドラム２ｍの表面上のマゼンタトナー像が記録媒体Ｐに転写された後に、感光体ドラム２ｍの表面上に残存するマゼンタトナーを除去し、回収する部材である。ドラムクリーナ１０ｃは、感光体ドラム２ｃの表面上のシアントナー像が記録媒体Ｐに転写された後に、感光体ドラム２ｃの表面上に残存するシアントナーを除去し、回収する部材である。ドラムクリーナ１０ｋは、感光体ドラム２ｋの表面上の黒色トナー像が記録媒体Ｐに転写された後に、感光体ドラム２ｋの表面上に残存する黒色トナーを除去し、回収する部材である。ドラムクリーナ１０ｙ，１０ｍ，１０ｃ，１０ｋとしては、ドラムクリーナ１０と同様の部材を用いることができる。
【０１７２】
搬送ベルト２３は、支持ローラ２２ａ，２２ｂの間に張架される無端ベルト状部材である。搬送ベルト２３は、記録媒体Ｐを担持しながら回転移動することによって、第５転写領域から送給された記録媒体Ｐを、第４転写領域に送給する。搬送ベルト２５は、支持ローラ２４ａ，２４ｂの間に張架される無端ベルト状部材である。搬送ベルト２５は、記録媒体Ｐを担持しながら回転移動することによって、第４転写領域から送給された記録媒体Ｐを、第３転写領域に送給する。
【０１７３】
搬送ベルト２７は、支持ローラ２６ａ，２６ｂの間に張架される無端ベルト状部材である。搬送ベルト２７は、記録媒体Ｐを担持しながら回転移動することによって、第３転写領域から送給された記録媒体Ｐを、第２転写領域に送給する。搬送ベルト２９は、支持ローラ２８ａ，２８ｂの間に張架される無端ベルト状部材である。搬送ベルト２９は、記録媒体Ｐを担持しながら回転移動することによって、第２転写領域から送給された記録媒体Ｐを、第１転写領域に送給する。
【０１７４】
このように、記録媒体Ｐは、第５転写領域、第４転写領域、第３転写領域、第２転写領域、および第１転写領域を、この順序で通過する。搬送ベルト２３には、たとえば、厚み２００μｍの半導電性ポリカーボネイト製ベルトを使用できる。
【０１７５】
支持ローラ２２ａ，２２ｂ，２４ａ，２４ｂ，２６ａ，２６ｂ，２８ａ，２８ｂは、図示しない駆動手段によって軸線回りに回転駆動可能に設けられるローラ状部材である。支持ローラ２２ａ，２２ｂ，２４ａ，２４ｂ，２６ａ，２６ｂ，２８ａ，２８ｂには、たとえば、アルミニウム製円筒体（パイプ状ローラ）が用いられる。
【０１７６】
以上のように構成される画像形成装置１ｃでは、制御ユニット部は、有色トナー像が転写された記録媒体Ｐに、透明トナー像を転写し、該記録媒体に形成される画像の上に、該透明トナー像を定着させることによって、透明トナーコート層を形成するように、各部材を制御する。すなわち、制御ユニット部は、一度の定着によって、有色トナー像による画像の形成と透明トナーコート層の形成とが行われるように、各部材を制御する。
【０１７７】
より詳細には、記録媒体Ｐが第５〜第２転写領域を通過することによって、該記録媒体Ｐ上に、イエロートナー像、マゼンタトナー像、シアントナー像、および黒色トナー像が、この順序で重ね合わされる。これによって、記録媒体Ｐ上に、未定着のフルカラー画像が形成される。その後、記録媒体Ｐが第１転写領域を通過することによって、未定着のフルカラー画像上に、透明トナー像が転写される。未定着のフルカラー画像および透明トナー像を担持する記録媒体Ｐが定着部６００を通過することによって、有色トナーからなるトナー像による画像の形成と透明トナーコート層の形成とが一度に行われることになる。
【０１７８】
このように、第２の発明に係る画像形成装置１ｃによれば、記録媒体Ｐに、透明トナーコート層で被覆された画像を形成することができる。したがって、耐摺擦性、防水性、および保存性に優れる画像を形成することができる。
【０１７９】
制御ユニット部は、記録媒体Ｐへのフルカラー画像の形成後に、該記録媒体Ｐにコート層用トナー像が転写され、透明トナーコート層が形成されるように、各部材を制御してもよい。制御ユニット部がこのように制御することによって、透明トナーコート層を構成する透明トナーが画像中に浸透するのを抑えることができる。
【符号の説明】
【０１８０】
１，１ａ，１ｂ，１ｃ  画像形成装置
２，２ｂ，２ｃ，２ｋ，２ｍ，２ｙ  感光体ドラム
３，３ｂ，３ｃ，３ｋ，３ｍ，３ｙ  帯電部
４，４ａ，４ｂ  露光ユニット
５，５ｂ，５ｃ，５ｋ，５ｍ，５ｙ  現像部
６  発色用露光部
７，７ｂ，７ｃ，７ｋ，７ｍ，７ｙ  転写部
１００，２００，３００，４００  トナー像形成部
５００  記録媒体供給部
６００  定着部
【図１】
2010277053.tif 000008
【図２】
2010277053.tif 000009
【図３】
2010277053.tif 000010
【図４】
2010277053.tif 000011
【図５】
2010277053.tif 000012
【図６】
2010277053.tif 000013